(57)【特許請求の範囲】
【請求項１】
２つの筐体(１)(２)が互いに重ね合わされてスライド可能に係合している無線端末機において、前記２つの筐体(１)(２)の内、第１の筐体(１)に開設された開口(42)を経て両筐体(１)(２)間をフレキシブルリード(６)が伸びており、第２筐体(２)は、第１筐体(１)との重なりが最大となる収縮位置と第１筐体(１)との重なりが最小となる伸張位置との間で摺動が可能であって、第１筐体(１)には、第２筐体(２)との摺接面に、極細繊維からなる不織布(５)が貼り付けられ、該不織布(５)は、前記開口(42)を包囲して拡がっており、第２筐体(２)には、カメラ(25)が内蔵されると共に、前記不織布(５)との摺接面内であって、且つ伸張状態で露出することとなる位置に、前記カメラ(25)の撮影窓(25a)が配置されていることを特徴とするスライド式無線端末機。
【請求項２】
前記第１の筐体(１)には回路基板(８)が内蔵される一方、第２の筐体(２)にはディスプレイ(22)が配備され、該回路基板(８)とディスプレイ(22)とが前記フレキシブルリード(６)を介して互いに電気的に接続されている請求項１に記載のスライド式無線端末機。
【請求項３】
前記不織布(５)は、第２筐体(２)の伸張状態で両筐体(１)(２)が重なる領域の範囲内に拡がっている請求項２に記載のスライド式無線端末機。
【発明の詳細な説明】
【０００１】
【発明の属する技術分野】
本発明は、２つの筐体が互いにスライド可能に係合している携帯電話機等の無線端末機に関するものである。
【０００２】
【従来の技術】
従来、２つの筐体を互いに摺動可能に係合させて構成されるスライド式の携帯電話機が提案されている(例えば特許文献１〜４参照)。
スライド式の携帯電話機によれば、折り畳み式携帯電話機と同様に、一方の筐体に操作キーを配備すると共に、他方の筐体にディスプレイを配置することによって、ディスプレイの大型化を図ることが出来る。
【０００３】
又、折り畳み式携帯電話機では、操作キーの配列面とディスプレイの配置面とが角度を持たざるを得ないため、キーの操作性やディスプレイの視認性に欠点があるが、スライド式携帯電話機によれば、操作キーの配列面とディスプレイの配置面とが互いに平行となるので、キーの操作性やディスプレイの視認性が良好となる。
然も、スライド式携帯電話機においては、一方の筐体に対して他方の筐体をスライドさせるだけでキー操作面を露出させることが出来るので、折り畳み式携帯電話機における開き操作よりも操作性が良好である。
【０００４】
【特許文献１】
特開平９−２０５４７６号公報
【特許文献２】
特開平１０−２４３０６５号公報
【特許文献３】
特開２０００−１０６５９４号公報
【特許文献４】
特開２００２−３００２４３号公報
【０００５】
【発明が解決しようとする課題】
しかしながら、スライド式携帯電話機においては、２つの筐体の摺接面積が大きくならざるを得ないため、スライド操作に伴う摩擦抵抗が大きくなる問題がある。又、２つの筐体間にゴミ、塵などが侵入する虞があり、これによってスライド動作の安定性が低下する問題がある。
更に、スライド式携帯電話機においては、一方の筐体に内蔵された回路基板と他方の筐体に配備されたディスプレイとを互いに接続するために、一方の筐体に開口を形成して、該筐体内の回路基板から伸びるフレキシブルリードを該開口から外側へ引き出す必要があるが、該開口は、スライドに伴うフレキシブルリードの変形を許容するために大きく開設せざるを得ないので、該開口から筐体の内部へゴミ、塵などが侵入する虞があり、これによって回路基板が悪影響を受ける問題がある。
【０００６】
そこで本発明の目的は、スライド式無線端末機において、２つの筐体をスライドさせるときの摩擦抵抗を軽減すると共に、スライドに伴う両筐体間や筐体内へのゴミや塵の侵入を有効に阻止することである。
【０００７】
【課題を解決する為の手段】
本発明に係るスライド式無線端末機においては、２つの筐体(１)(２)が互いに重ね合わされて摺動可能に係合しており、前記２つの筐体(１)(２)の内、第１の筐体(１)に開設された開口(42)を経て両筐体(１)(２)間をフレキシブルリード(６)が伸びており、第２筐体(２)は、第１筐体(１)との重なりが最大となる収縮位置と第１筐体(１)との重なりが最小となる伸張位置との間で摺動が可能であって、第１筐体(１)には、第２筐体(２)との摺接面に、極細繊維からなる不織布(５)が貼り付けられ、該不織布(５)は、前記開口(42)を包囲して拡がっており、第２筐体(２)には、カメラ(25)が内蔵されると共に、前記不織布(５)との摺接面内であって、且つ伸張状態で露出することとなる位置に、前記カメラ(25)の撮影窓(25a)が配置されている。
【０００８】
上記本発明のスライド式無線端末機においては、第１筐体(１)と第２筐体(２)の摺接面間に、極細繊維からなる不織布(５)が介在し、該不織布(５)は第１筐体(１)の開口(42)を包囲して拡がっているので、外部から第１筐体(１)の開口(42)を経て筐体内へゴミや塵が侵入することはない。又、該不織布(５)は、高い滑り性と優れた払拭性を有しているので、両筐体(１)(２)のスライドに伴う摩擦抵抗が軽減されると共に、スライド面に付着したゴミや塵が払拭されて、両筐体(１)(２)間へのゴミや塵の侵入が阻止される。
又、第２筐体(２)のスライド操作に伴って、カメラ(25)の撮影窓(25a)が第１筐体(１)の不織布(５)によって払拭されるので、撮影窓(25a)が常に汚れのない状態に維持される。
【０００９】
具体的構成において、第１の筐体(１)には回路基板(８)が内蔵される一方、第２の筐体(２)にはディスプレイ(22)が配備され、該回路基板(８)とディスプレイ(22)とが前記フレキシブルリード(６)を介して互いに電気的に接続されている。
【００１０】
又、前記不織布(５)は、第２筐体(２)の伸張状態で両筐体(１)(２)が重なる領域の範囲内に拡がっている。
従って、第２筐体(２)の収縮／伸張状態に拘わらず、不織布(５)が外部に露出することはない。
【００１２】
【発明の効果】
本発明に係るスライド式無線端末機によれば、２つの筐体をスライドさせるときの摩擦抵抗が軽減されると共に、スライドに伴う両筐体間や筐体内へのゴミや塵の侵入が有効に阻止される。
【００１３】
【発明の実施の形態】
以下、本発明をスライド式携帯電話機に実施した形態につき、図面に沿って具体的に説明する。
本発明に係るスライド式携帯電話機は、図１及び図２に示す如く、それぞれ扁平な第１筐体(１)と第２筐体(２)を互いに重ね合わせてスライド可能に係合させたものであって、図１に示す収縮状態と図２の伸張状態の間でスライド操作が可能である。
【００１４】
図２の如く、第１筐体(１)は、下半キャビネット(３)と上半キャビネット(４)から構成され、上半キャビネット(４)の表面には、テンキーを含む複数の操作キー(11)が配列されると共に、下端部に送話部(12)が設けられている。
第２筐体(２)の表面には、中央部にディスプレイ(22)が配備されると共に、その下方には確定キーを含む複数の操作キー(21)が配列され、上端部には受話部(23)が設けられている。又、第２筐体(２)の表面には、受話部(23)の側部に、後述する第１カメラ(図示省略)の撮影窓(24a)が配置されている。
【００１５】
図３に示す如く、第１筐体を構成する上半キャビネット(４)には、前記操作キー(11)を臨出させるための複数のキー孔(41)が開設されると共に、後述のフレキシブルリード(６)を通すための開口(42)が形成されている。
一方、第２筐体(２)の背面(20)は、第１筐体の上半キャビネット(４)との摺接面となっており、該背面(20)の上端部には、後述する第２カメラ(図示省略)の撮影窓(25a)が配置されている。
【００１６】
図４に示す如く、第１筐体の上半キャビネット(４)の表面には、前記開口(42)を包囲する上半領域に、直径５μｍ程度の極細繊維からなる不織布(５)が貼り付けられている。該不織布(５)としては、例えば東レ株式会社製の“エクセーヌ”(登録商標)を採用することが出来る。該不織布(５)は、極細繊維と空隙の３次元構造を有し、高い滑り性、優れた払拭性、汚れ再付着防止能、及び弾力性を発揮する。
又、上半キャビネット(４)の両側面には、第２筐体のスライド方向に沿って伸びるガイド溝(43)(43)が凹設されている。
【００１７】
図５に示す如く、第２筐体(２)の背面(20)には、その下端部に、後述するフレキシブルリード(６)を外部へ引き出すためのスリット(27)が開設されると共に、両側部には、第１筐体を挟持すべき一対のレール部(28)(28)が突設され、両レール部(28)(28)には、前記第１筐体のガイド溝(43)(43)に摺動可能に係合すべき突片(26)(26)が突設されている。
【００１８】
第２筐体(２)の内部には、図６に示すフレーム(７)が配備されており、該フレーム(７)には、前記ディスプレイ(22)が設置されると共に、ディスプレイ(22)を駆動するための回路基板(71)が連結されている。該回路基板(71)の下端部からは、帯状のフレキシブルリード(６)が引き出され、フレーム(７)上にて１８０度折り返され、その先端部に雄コネクター(61)が連結されている(図８参照)。
【００１９】
一方、第１筐体(１)の内部には、図７及び図８に示す回路基板(８)が設置されており、該回路基板(８)の表面に、雌コネクター(81)が配置されている。
又、第２筐体(２)内のフレーム(７)の上端部には、表面側に第１カメラ(24)が取り付けられると共に、裏面側に第２カメラ(25)が取り付けられている。
【００２０】
第２筐体(２)内の回路基板(71)から伸びるフレキシブルリード(６)は、図５に示す如く第２筐体(２)の背面(20)に開設されたスリット(27)から外部に引き出された後、図３に示す如く第１筐体の上半キャビネット(４)の開口(42)内にて１８０度折り返され、その先端部の雄コネクター(61)が図８に示す回路基板(８)上の雌コネクター(81)に連結されている。
【００２１】
上記スライド式携帯電話機においては、図１に示す収縮状態にて第１筐体(１)の表面にディスプレイ(22)の画面が露出しているので、該ディスプレイ(22)によって、着信待ち受け時の表示、着信時の表示、着信メールの表示などが可能である。
【００２２】
図１に示す収縮状態から第２筐体(２)を上方に押圧すると、第２筐体(２)のレール部(28)に突設した突片(26)が第１筐体(１)のガイド溝(43)に沿って摺動し、第２筐体(２)のスライドが案内される。
第２筐体(２)のスライドに伴って、フレキシブルリード(６)は、第１筐体(１)の開口(42)内にて折り返し位置を移動させつつ弾性変形し、第１筐体(１)と第２筐体(２)の相対移動を許容する。
【００２３】
この様にして、第２筐体(２)を図２に示す如く伸張位置までスライドさせることによって、第１筐体(１)の表面には操作キー(11)が露出し、電話番号の入力、送信メール文章の入力などが可能となる。
【００２４】
上記スライド式携帯電話機においては、不織布(５)が第１筐体(１)と第２筐体(２)の間に僅かに圧縮された状態で介在し、両筐体(１)(２)間に形成される隙間を埋めているので、該隙間へゴミや塵が侵入することはない。
又、第２筐体(２)を収縮位置と伸張位置の間でスライドさせる過程で、第１筐体(１)の不織布(５)は、両筐体(１)(２)間の摩擦抵抗を軽減するので、スライド操作に大きな力は不要である。
【００２５】
又、不織布(５)は第２筐体(２)の背面(20)上を摺動して、該背面(20)に付着しているゴミや塵を払拭するので、スライド動作は安定したものとなる。ここで、不織布(５)は、第１筐体(１)の開口(42)を包囲して拡がっているので、該開口(42)から筐体(１)内へゴミや塵が侵入する虞はない。従って、第１筐体(１)内の回路基板(８)が悪影響を受けることはない。
【００２６】
更に、スライド操作の度に、不織布(５)は、第２筐体(２)の背面(20)に設置された第２カメラ(25)の撮影窓(25a)を払拭するので、該撮影窓(25a)は、常に汚れのない状態に維持される。
【００２７】
尚、本発明の各部構成は上記実施の形態に限らず、特許請求の範囲に記載の技術的範囲内で種々の変形が可能である。例えば、不織布(５)は、第１筐体(１)に貼り付ける構成に限らず、第２筐体(２)に貼り付ける構成も可能である。又、第１筐体(１)にディスプレイ(22)を配備し、第２筐体(２)に操作キー(11)を配列する構成も採用可能である。
【図面の簡単な説明】
【図１】本発明に係るスライド式携帯電話機の収縮状態の斜視図である。
【図２】該スライド式携帯電話機の伸張状態の斜視図である。
【図３】第１筐体と第２筐体の係合状態を示す斜視図である。
【図４】第１筐体の上半キャビネットの斜視図である。
【図５】第２筐体の斜視図である。
【図６】第２筐体に内蔵されているフレーム及び回路基板の斜視図である。
【図７】第１筐体内の回路基板と第２筐体内の回路基板がフレキシブルリードによって互いに接続されている状態を示す裏面図である。
【図８】同上状態の側面図である。
【符号の説明】
(１)  第１筐体
(11)  操作キー
(12)  送話部
(２)  第２筐体
(20)  背面
(21)  操作キー
(22)  ディスプレイ
(23)  受話部
(24)  第１カメラ
(25)  第２カメラ
(３)  下半キャビネット
(４)  上半キャビネット
(42)  開口
(５)  不織布
(６)  フレキシブルリード
(61)  コネクター
(71)  回路基板
(８)  回路基板
(81)  コネクター
【図１】
0003723539.tif 000002
【図２】
0003723539.tif 000003
【図３】
0003723539.tif 000004
【図４】
0003723539.tif 000005
【図５】
0003723539.tif 000006
【図６】
0003723539.tif 000007
【図７】
0003723539.tif 000008
【図８】
0003723539.tif 000009